(57)【要約】【課題】充電用デバイスによる充電中に作動するデバイスで発生したノイズが、バスバーによって他のデバイスに伝播するのを抑制する。【解決手段】高電圧バッテリポートＨＢＰの高電圧バッテリを充電するプラグイン用充電器ＣＨＧや、急速充電器からの高電圧の直流電力が入力される急速充電ポートＱＰをオンオフするＱＣリレーボックス３５，３７と、これらによる高電圧バッテリの充電中に作動し低電圧バッテリ向けに高電圧バッテリの高電圧の直流電力を低電圧に降圧するＤＣＤＣコンバータ５６とを接続する、正極（Ｐ極）及び負極（Ｎ極）のメインバスバー３９Ｐ，３９Ｎの折り返し部４９Ｐ，４９Ｎと、折り返し部４９Ｐ，４９Ｎ間に介設されてコンデンサＣ１，Ｃ２を構成する絶縁モジュール４５，４７と、絶縁性のバスバー保持部６９が間に介設された折り返し部４９Ｐ，４９Ｎを環状に囲んでコイルＬ１を構成するコア部材５９とを備える。【選択図】図３
2020010573.tif 000002
【特許請求の範囲】
【請求項１】
バッテリの充電用デバイス（３５，３７，ＣＨＧ）と、前記充電用デバイス（３５，３７，ＣＨＧ）による前記バッテリの充電中に作動可能な他のデバイス（５６）とを接続する、正負一対のバスバー（３９Ｐ，３９Ｎ）と、
前記正負一対のバスバー（３９Ｐ，３９Ｎ）間に介設されて、該正負一対のバスバー（３９Ｐ，３９Ｎ）と共にコンデンサ（Ｃ１，Ｃ２）を構成する絶縁部材（４５，４７，６９）と、
前記絶縁部材（６９）が間に介設された前記正負一対のバスバー（３９Ｐ，３９Ｎ）を環状に囲み、該正負一対のバスバー（３９Ｐ，３９Ｎ）を含む回路におけるインダクタンス成分（Ｌ１）を構成する磁気コア（５９）と、
を備えるバスバーモジュール（ＢＭ）。
【請求項２】
前記絶縁部材（４５，４７，６９）は、前記正負一対のバスバー（３９Ｐ，３９Ｎ）の延在方向に間隔を置いた３箇所において、前記正負一対のバスバー（３９Ｐ，３９Ｎ）間にそれぞれ介設されており、前記磁気コア（５９）は、前記正負一対のバスバー（３９Ｐ，３９Ｎ）における前記延在方向の真ん中の絶縁部材（６９）が介設された部分を環状に囲んでいる請求項１記載のバスバーモジュール（ＢＭ）。
【請求項３】
前記正負一対のバスバー（３９Ｐ，３９Ｎ）及び前記絶縁部材（４５，４７）を封止する樹脂体（２６）をさらに備えており、前記絶縁部材（４５，４７）は、前記樹脂体（２６）の外側に延出した取付点（７７）を有しており、該取付点（７７）は、前記バスバーモジュール（ＢＭ）の取付対象（５）に取り付けられる請求項１又は２記載のバスバーモジュール（ＢＭ）。
【請求項４】
前記磁気コア（５９）を保持し、該磁気コア（５９）を、前記絶縁部材（６９）が間に介設された前記正負一対のバスバー（３９Ｐ，３９Ｎ）を囲む位置に配置する磁気コアホルダ（６１）と、前記正負一対のバスバー（３９Ｐ，３９Ｎ）、前記磁気コア（５９）及び前記磁気コアホルダ（６１）を封止する樹脂体（２６）とをさらに備えており、前記磁気コアホルダ（６１）は、前記樹脂体（２６）の外側に延出した取付点（７１）を有しており、該取付点（７１）は、前記バスバーモジュール（ＢＭ）の取付対象（５）に取り付けられる請求項１、２又は３記載のバスバーモジュール（ＢＭ）。
【請求項５】
前記正負一対のバスバー（３９Ｐ，３９Ｎ）を封止する樹脂体（２６）をさらに備えており、該樹脂体（２６）は、前記正負一対のバスバー（３９Ｐ，３９Ｎ）の外部接続用のコネクタ（ＨＢＰ，ＱＰ）が収容される凹部（２９）を有しており、前記正負一対のバスバー（３９Ｐ，３９Ｎ）における前記コネクタ（ＨＢＰ）の締結箇所（２９Ｐ，２９Ｎ）が前記凹部（２９）に露出している請求項１、２、３又は４記載のバスバーモジュール（ＢＭ）。
【発明の詳細な説明】
【技術分野】
【０００１】
本発明は、モータを推進源に用いる車両のパワーコントロールユニットで利用されるバスバーモジュールに関する。
【背景技術】
【０００２】
モータを推進源に用いる電動車両に搭載されるパワーコントロールユニットとして、急速充電デバイス、充電器、コンデンサモジュール及びＤＣＤＣコンバータをバスバーによって接続したパワーコントロールユニットが知られている。
【０００３】
急速充電デバイスには、急速充電器からの急速充電用の直流電力が入力される。また、充電器は、商用電源の交流電力をバッテリの普通充電用の直流電力に変換する。コンデンサモジュールは、急速充電デバイスに入力された直流電力や充電器が変換した直流電力を平滑化する。ＤＣＤＣコンバータは、バッテリの電力を低圧バッテリ用に降圧させる（例えば、特許文献１）。
【先行技術文献】
【特許文献】
【０００４】
【特許文献１】国際公開第２０１３／０８０６６５号
【発明の概要】
【発明が解決しようとする課題】
【０００５】
上述したパワーコントロールユニットでは、急速充電ポートに入力された直流電力や充電器が変換した直流電力によるバッテリの充電中に、低圧バッテリを充電させるためにＤＣＤＣコンバータが同時に作動する。このため、ＤＣＤＣコンバータのスイッチングにより発生したノイズが、バスバーによってパワーコントロールユニットの各部に伝播する可能性がある。
【０００６】
本発明は前記事情に鑑みなされたもので、本発明の目的は、パワーコントロールユニットの内部において、バッテリの充電中に作動するデバイスで発生したノイズが、バスバーによってパワーコントロールユニットの他のデバイスに伝播するのを抑制することができるバスバーモジュールを提供することにある。
【課題を解決するための手段】
【０００７】
上記目的を達成するため、本発明の１つの態様によるバスバーモジュールは、
バッテリの充電用デバイスと、前記充電用デバイスによる前記バッテリの充電中に作動可能な他のデバイスとを接続する、正負一対のバスバーと、
前記正負一対のバスバー間に介設されて、該正負一対のバスバーと共にコンデンサを構成する絶縁部材と、
前記絶縁部材が間に介設された前記正負一対のバスバーを環状に囲み、該正負一対のバスバーを含む回路におけるインダクタンス成分を構成する磁気コアと、
を備える。
【発明の効果】
【０００８】
本発明によれば、パワーコントロールユニットの内部において、充電用デバイスによるバッテリの充電中に作動するデバイスで発生したノイズが、バスバーによってパワーコントロールユニットの他のデバイスに伝播するのを抑制することができる。
【図面の簡単な説明】
【０００９】
【図１】本発明の一実施形態に係るバスバーユニットを有する電動車両のパワーコントロールユニットを一部分解して示す斜視図である。
【図２】図１のバスバーモジュールの斜視図である。
【図３】（ａ），（ｂ）は図２のバスバーモジュール内にモールドされたバスバー等の構造物をアングルを変えて示す斜視図である。
【図４】（ａ）は図３（ａ），（ｂ）の磁気コアモジュールの分解斜視図、（ｂ）は（ａ）の磁気コアモジュールのメインバスバーに対する取付状態を示す断面図、（ｃ）は（ａ）のコア部材とメインバスバーとの配置を示す要部拡大斜視図である。
【図５】図３（ａ），（ｂ）のメインバスバーの折り返し部に構成されるメインバスバー及び磁気コアモジュールによるチョークコイルとメインバスバー及び絶縁モジュールによるコンデンサとの等価回路図である。
【図６】（ａ）は図３（ａ），（ｂ）の絶縁モジュールのベース部の断面図、（ｂ）は同じく絶縁モジュールの絶縁板部によるメインバスバーの絶縁状態を示す断面図である。
【発明を実施するための形態】
【００１０】
以下、本発明の実施形態について図面を参照して説明する。図１は本発明の一実施形態に係るバスバーユニットを有する電動車両のパワーコントロールユニットを一部分解して示す斜視図である。図１に示す本実施形態のパワーコントロールユニットは、モータを推進源に含む電動車両に搭載される。本実施形態では、プラグインハイブリッド車（ＰＨＥＶ）に搭載されるパワーコントロールユニットについて説明する。
【００１１】
図１に示す本実施形態のパワーコントロールユニット１は、電動車両の推進用モータ（図示せず）の電源となる不図示の高電圧バッテリの充放電や、電動車両の不図示の低電圧負荷（補機）の電源となる不図示の低電圧バッテリの充電に関する要素を集約して設けたものである。
【００１２】
そして、パワーコントロールユニット１は、ロアケース３とその上に重ねたアッパーケース５とを有している。ロアケース３及びアッパーケース５は、例えば、アルミニウム等の磁気シールド機能を有し熱伝導率が高い金属材料の鋳造によって形成されている。
【００１３】
ロアケース３は底面に開口する収容部を有している。収容部の開口は不図示の蓋体によって塞がれる。また、ロアケース３の側面には、ロアケース３内に設けた冷却用のウォータージャケット（図示せず）に連通する冷却水の入水ポート７及び出水ポート９が設けられている。
【００１４】
アッパーケース５は底面に開口する収容部１１を有している。収容部１１の開口は、アッパーケース５を上に重ねたロアケース３によって塞がれる。アッパーケース５の天井面１３には、収容部１１に収容した部品等を露出させる作業用開口１５，１７が形成されている。作業用開口１５，１７は、蓋体１９，２１によって塞がれる。
【００１５】
また、アッパーケース５の側面には、ポート取付孔２３，２５が形成されている。ポート取付孔２３には急速充電ポートＱＰが取り付けられる。ポート取付孔２５には高電圧バッテリポートＨＢＰ（請求項中の外部接続用のコネクタに相当）が取り付けられる。
【００１６】
上述したパワーコントロールユニット１には、ＤＣＤＣコンバータ、パワーモジュール及びコンデンサモジュール（以上、図示せず）と、プラグイン用充電器ＣＨＧと、これらの動作を制御するコントローラ等が設けられる。
【００１７】
なお、プラグイン用充電器ＣＨＧはアッパーケース５の収容部１１に収容され、その他のＤＣＤＣコンバータ、パワーモジュール、コンデンサモジュール及びコントローラ等はロアケース３に収容される。
【００１８】
プラグイン用充電器ＣＨＧ（請求項中の充電用デバイスに相当）は、不図示の商用電源ポートから入力される商用電源の交流電力（例えば、単相交流２００Ｖ）をＡＣＤＣコンバータにより高電圧の直流電力に変換する。そして、変換した高電圧の直流電力を、高電圧バッテリポートＨＢＰに接続された不図示の高電圧バッテリに、充電用の電力として出力する。
【００１９】
なお、高電圧バッテリは、不図示の急速充電器から急速充電ポートＱＰに入力される高電圧の直流電力（例えば、直流５００Ｖ）によって、急速充電することもできる。
【００２０】
ＤＣＤＣコンバータは、高電圧バッテリポートＨＢＰから入力される不図示の高電圧バッテリの高電圧の直流電力（例えば、直流４００Ｖ）を、低電圧負荷に対応する電圧の直流電圧（例えば、直流１４Ｖ）に変換する。そして、変換した低電圧の直流電力を、不図示の低電圧バッテリポートに接続された低電圧バッテリに出力する。
【００２１】
パワーモジュールは、高電圧バッテリポートＨＢＰから入力される高電圧バッテリの直流電力をインバータにより三相交流電力に変換し、不図示の推進用モータに出力する。
【００２２】
コンデンサモジュールは、ＤＣＤＣコンバータやパワーモジュールのインバータの駆動時に、高電圧バッテリポートＨＢＰから入力される高電圧バッテリの直流電力の電流を、内蔵した平滑コンデンサにより平滑化する。また、コンデンサモジュールは、商用電源の交流電力をプラグイン用充電器により直流電力に変換する際に、直流電力への変換後の電流を平滑化する。
【００２３】
上述したプラグイン用充電器ＣＨＧ、ＤＣＤＣコンバータ、パワーモジュール及びコンデンサモジュール、さらに、ロアケース３及びアッパーケース５の各ポートには、それぞれ大きな電流が流れる。そのため、これらの相互間の接続には適宜バスバーが用いられる。
【００２４】
そして、本実施形態のパワーコントロールユニット１では、アッパーケース５内での接続に用いるバスバーを樹脂モールドしたバスバーモジュールＢＭが、アッパーケース５の収容部１１に収容される。
【００２５】
図２の斜視図に示すように、バスバーモジュールＢＭは、モールドにより形成された樹脂ブロック２６（請求項中の樹脂体に相当）を有している。樹脂ブロック２６の上面には、凹部によって構成した充電端子部２７及びバッテリ端子部２９が形成されている。
【００２６】
充電端子部２７及びバッテリ端子部２９は、バスバーモジュールＢＭの側面に開放されている。バスバーモジュールＢＭの側面に開放された充電端子部２７及びバッテリ端子部２９は、図１に示すように、バスバーモジュールＢＭをアッパーケース５の収容部１１に収容した状態で、アッパーケース５のポート取付孔２３，２５に臨む位置に配置される。
【００２７】
充電端子部２７及びバッテリ端子部２９には、図２に示すように、正極（Ｐ極）及び負極（Ｎ極）の急速充電端子２７Ｐ，２７Ｎ及び高電圧バッテリ端子２９Ｐ，２９Ｎがそれぞれ設けられている。急速充電端子２７Ｐ，２７Ｎ及び高電圧バッテリ端子２９Ｐ，２９Ｎには、急速充電ポートＱＰ及び高電圧バッテリポートＨＢＰ（図１参照）がそれぞれ接続される。
【００２８】
樹脂ブロック２６の充電端子部２７の両脇の箇所には、正極（Ｐ極）及び負極（Ｎ極）のＱＣリレー端子部３１，３３がそれぞれ設けられている。
【００２９】
バスバーモジュールＢＭの各ＱＣリレー端子部３１，３３の内部には、図３（ａ）の斜視図に示すように、正極（Ｐ極）及び負極（Ｎ極）のＱＣリレーボックス３５，３７がそれぞれ埋設されている。
【００３０】
各ＱＣリレーボックス３５，３７は、電磁リレーをそれぞれ内蔵している。各ＱＣリレーボックス３５，３７の電磁リレーは、ロアケース３のコントローラの制御によってオンオフされる。
【００３１】
また、バスバーモジュールＢＭの樹脂ブロック２６の内部には、図３（ａ）及び図３（ｂ）の斜視図に示すように、正極（Ｐ極）及び負極（Ｎ極）のメインバスバー３９Ｐ，３９Ｎ及びサブバスバー４１Ｐ，４１Ｎと、磁気コアモジュール４３と、絶縁モジュール４５，４７とが埋設されている。
【００３２】
正極（Ｐ極）及び負極（Ｎ極）のメインバスバー３９Ｐ，３９Ｎ（請求項中のバスバーに相当）は、中間の折り返し部４９Ｐ，４９Ｎを挟んだ一方の端部に、上述したバッテリ端子部２９の正極（Ｐ極）及び負極（Ｎ極）の高電圧バッテリ端子２９Ｐ，２９Ｎ（請求項中のコネクタの締結箇所に相当）をそれぞれ有している。
【００３３】
また、正極（Ｐ極）及び負極（Ｎ極）のメインバスバー３９Ｐ，３９Ｎの折り返し部４９Ｐ，４９Ｎを挟んだ他方の端部には、ＱＣリレー端子５１Ｐ，５１Ｎがそれぞれ形成されている。各ＱＣリレー端子５１Ｐ，５１Ｎは、図３（ａ）に示すように、正極（Ｐ極）及び負極（Ｎ極）のＱＣリレーボックス３５，３７にそれぞれ接続される。
【００３４】
図３（ａ），（ｂ）に示すように、正極（Ｐ極）及び負極（Ｎ極）のメインバスバー３９Ｐ，３９Ｎの折り返し部４９Ｐ，４９Ｎには、分岐端子５３Ｐ，５３Ｎ、５５Ｐ，５５Ｎがそれぞれ形成されている。
【００３５】
分岐端子５３Ｐ，５３Ｎには、図３（ａ）に示すように、ロアケース３に収容したＤＣＤＣコンバータ５６（請求項中の他のデバイスに相当）及びコンデンサモジュール（図示せず）が接続される。また、分岐端子５５Ｐ，５５Ｎには、アッパーケース５の収容部１１に収容したプラグイン用充電器ＣＨＧ（図１参照）が接続される。
【００３６】
なお、正極（Ｐ極）のメインバスバー３９Ｐと負極（Ｎ極）のメインバスバー３９Ｎとは、図３（ａ），（ｂ）に示すように、それぞれの折り返し部４９Ｐ，４９Ｎにおいて、一定の隙間を空けて平行に配置されている。
【００３７】
正極（Ｐ極）及び負極（Ｎ極）のサブバスバー４１Ｐ，４１Ｎは、一方の端部に、上述した充電端子部２７の正極（Ｐ極）及び負極（Ｎ極）の急速充電端子２７Ｐ，２７Ｎをそれぞれ有している。
【００３８】
また、正極（Ｐ極）及び負極（Ｎ極）のサブバスバー４１Ｐ，４１Ｎの他方の端部には、ＱＣリレー端子５７Ｐ，５７Ｎがそれぞれ形成されている。各ＱＣリレー端子５７Ｐ，５７Ｎは、図３（ａ）に示すように、メインバスバー３９Ｐ，３９Ｎの各ＱＣリレー端子５１Ｐ，５１Ｎと絶縁板を挟んで対向するように、正極（Ｐ極）及び負極（Ｎ極）のＱＣリレーボックス３５，３７にそれぞれ接続される。
【００３９】
各ＱＣリレーボックス３５，３７にそれぞれ接続されたメインバスバー３９Ｐ，３９Ｎの各ＱＣリレー端子５１Ｐ，５１Ｎとサブバスバー４１Ｐ，４１ＮのＱＣリレー端子５７Ｐ，５７Ｎとは、図２に示すように、樹脂ブロック２６のＱＣリレー端子部３１，３３にそれぞれ配置される。
【００４０】
そして、ＱＣリレーボックス３５，３７の電磁リレーのオンオフにより、メインバスバー３９Ｐ，３９Ｎとサブバスバー４１Ｐ，４１Ｎとが導通、遮断される。ＱＣリレーボックス３５，３７のオンによりメインバスバー３９Ｐ，３９Ｎとサブバスバー４１Ｐ，４１Ｎとが導通されると、急速充電ポートＱＰから入力される急速充電用の直流電力によって、高電圧バッテリポートＨＢＰに接続された高電圧バッテリが充電される。
【００４１】
即ち、各ＱＣリレーボックス３５，３７は、高電圧バッテリの急速充電をオンオフさせる。したがって、ＱＣリレーボックス３５，３７は、請求項中の充電用デバイスに相当する。
【００４２】
ところで、パワーコントロールユニット１では、急速充電ポートＱＰに接続された急速充電器からの直流電力や、プラグイン用充電器ＣＨＧが商用電力から変換した直流電力による、高電圧バッテリポートＨＢＰに接続された高電圧バッテリの充電中に、低電圧バッテリを充電させるためにＤＣＤＣコンバータが同時に作動する。
【００４３】
このため、ＤＣＤＣコンバータのスイッチングにより発生したノイズが、メインバスバー３９Ｐ，３９Ｎやサブバスバー４１Ｐ，４１Ｎに接続されたパワーコントロールユニット１の他のデバイスに伝播する可能性がある。
【００４４】
そこで、本実施形態のパワーコントロールユニット１では、バスバーモジュールＢＭの正極（Ｐ極）及び負極（Ｎ極）のメインバスバー３９Ｐ，３９Ｎの折り返し部４９Ｐ，４９Ｎに、上述した磁気コアモジュール４３及び絶縁モジュール４５，４７を配置して、ノイズフィルタ機能を発揮させるようにしている。
【００４５】
以下、磁気コアモジュール４３及び絶縁モジュール４５，４７の構成について、詳しく説明する。
【００４６】
磁気コアモジュール４３は、正極（Ｐ極）及び負極（Ｎ極）のメインバスバー３９Ｐ，３９Ｎの折り返し部４９Ｐ，４９Ｎの中間点に設けられている。磁気コアモジュール４３は、図４（ａ）の斜視図に示すように、環状のコア部材５９及びコアホルダ６１を有している。
【００４７】
コア部材５９（請求項中の磁気コアに相当）は、フェライト等の磁性体により形成した半割りの２つのコアピース６３，６３を３つ重ねることで、合計６つのコアピース６３が全体で環状を呈するように構成されている。
【００４８】
コアホルダ６１（請求項中の磁気コアホルダに相当）は、絶縁性のセラミックにより形成されている。コアホルダ６１は、コア部材５９が収容されるコア収容部６５を有している。コア収容部６５は、コアホルダ６１の側方に開口されている。
【００４９】
コアホルダ６１の上面には、コア収容部６５と連通するスリット６７が形成されている。コア収容部６５には、バスバー保持部６９（請求項中のバスバーの延在方向の真ん中の絶縁部材に相当）が設けられている。バスバー保持部６９は、上方に開放された２つのバスバー保持溝６９Ｐ，６９Ｎを有している。
【００５０】
各バスバー保持溝６９Ｐ，６９Ｎには、スリット６７からコア収容部６５の内部に挿入したメインバスバー３９Ｐ，３９Ｎの折り返し部４９Ｐ，４９Ｎがそれぞれ挿入される。
【００５１】
図４（ｂ）に示すように、メインバスバー３９Ｐ，３９Ｎの折り返し部４９Ｐ，４９Ｎを各バスバー保持溝６９Ｐ，６９Ｎにそれぞれ挿入すると、メインバスバー３９Ｐ，３９Ｎの間にバスバー保持部６９が配置される。各バスバー保持溝６９Ｐ，６９Ｎに折り返し部４９Ｐ，４９Ｎを挿入した後、コア収容部６５には、図４（ａ）に示すように、コア部材５９の各コアピース６３がコアホルダ６１の側方から挿入される。
【００５２】
コア収容部６５に挿入されたコア部材５９は、バスバー保持部６９の周りに環状に配置される。このため、コア部材５９は、コアホルダ６１を介して、図４（ｃ）に示すように、メインバスバー３９Ｐ，３９Ｎの折り返し部４９Ｐ，４９Ｎの周りに、間隔を置いて環状に配置される。
【００５３】
この配置により、メインバスバー３９Ｐ，３９Ｎの折り返し部４９Ｐ，４９Ｎに、メインバスバー３９Ｐ，３９Ｎとコア部材５９とで、図５の等価回路図に示すコモンモードのチョークコイルＬ１（請求項中のインダクタンス成分に相当）が構成される。
【００５４】
なお、図４（ａ）に示すように、コアホルダ６１の下端にはフランジ部７１が形成されている。フランジ部７１（請求項中の取付点に相当）には、不図示のボルトの頭部が係止される係止溝７３が形成されている。フランジ部７１は、図２に示すように、バスバーモジュールＢＭの樹脂ブロック２６の外部に延出している。
【００５５】
図３（ａ），（ｂ）に示すように、絶縁モジュール４５，４７は、正極（Ｐ極）及び負極（Ｎ極）のメインバスバー３９Ｐ，３９Ｎの折り返し部４９Ｐ，４９Ｎの、磁気コアモジュール４３を挟んだ両側にそれぞれ設けられている。
【００５６】
各絶縁モジュール４５，４７（請求項中の絶縁部材に相当）は、絶縁性のセラミックによってそれぞれ形成されている。各絶縁モジュール４５，４７は、図６（ａ）の断面図に示すように、絶縁板部７５と取付脚部７７とをそれぞれ有している。
【００５７】
絶縁板部７５は、図３（ａ），（ｂ）に示すように、メインバスバー３９Ｐ，３９Ｎの折り返し部４９Ｐ，４９Ｎ間に挿入されて、折り返し部４９Ｐ，４９Ｎ間を電気的に絶縁する。
【００５８】
この配置により、メインバスバー３９Ｐ，３９Ｎの折り返し部４９Ｐ，４９Ｎに、メインバスバー３９Ｐ，３９Ｎと各絶縁モジュール４５，４７の絶縁板部７５とで、図５の等価回路図に示すコンデンサＣ１，Ｃ２がそれぞれ構成される。
【００５９】
そして、２つのコンデンサＣ１，Ｃ２とその間のチョークコイルＬ１とにより、図３（ａ），（ｂ）に示すメインバスバー３９Ｐ，３９Ｎの折り返し部４９Ｐ，４９Ｎに、図５のノイズフィルタＦが構成される。
【００６０】
図６（ｂ）の断面図に示すように、取付脚部７７は、絶縁板部７５の下端に形成されている。取付脚部７７（請求項中の取付点に相当）には、ボルト７９が挿通される取付孔８１が形成されている。取付脚部７７は、図３（ａ），（ｂ）に示すように、絶縁板部７５を折り返し部４９Ｐ，４９Ｎ間に挿入したメインバスバー３９Ｐ，３９Ｎの下方に配置され、図２に示すように、バスバーモジュールＢＭの樹脂ブロック２６の外部に延出している。
【００６１】
以上のように構成された本実施形態のバスバーモジュールＢＭを、アッパーケース５の収容部１１に収容したら、ボルト７９等の締結部材によって、樹脂ブロック２６の外部に延出したフランジ部７１及び取付脚部７７をアッパーケース５（請求項中のバスバーモジュールの取付対象に相当）に固定する。
【００６２】
収容部１１に収容したバスバーモジュールＢＭをアッパーケース５に固定すると、バスバーモジュールＢＭの上面がアッパーケース５の天井面１３に内側から当接する。そして、バスバーモジュールＢＭの上面に配置された充電端子部２７及びバッテリ端子部２９が、アッパーケース５の天井面１３に形成した作業用開口１５に露出する。
【００６３】
このため、アッパーケース５のポート取付孔２３，２５に挿入した急速充電ポートＱＰ及び高電圧バッテリポートＨＢＰを、バスバーモジュールＢＭの充電端子部２７及びバッテリ端子部２９にそれぞれ接続する際には、蓋体１９を外した作業用開口１５を通じて接続作業を行う。
【００６４】
具体的には、作業用開口１５に露出する充電端子部２７及びバッテリ端子部２９の急速充電端子２７Ｐ，２７Ｎ及び高電圧バッテリ端子２９Ｐ，２９Ｎに、急速充電ポートＱＰ及び高電圧バッテリポートＨＢＰの不図示の端子を、締結部材によりそれぞれ締結する。
【００６５】
したがって、メインバスバー３９Ｐ，３９Ｎ及びサブバスバー４１Ｐ，４１Ｎの充電端子部２７及びバッテリ端子部２９に対する、急速充電ポートＱＰ及び高電圧バッテリポートＨＢＰの取付作業を、作業用開口１５を通じて容易に行えるようにすることができる。
【００６６】
なお、バスバーモジュールＢＭをアッパーケース５の収容部１１に収容すると、アッパーケース５の内側からアッパーケース５の天井面１３にバスバーモジュールＢＭが当接することから、作業用開口１５とバスバーモジュールＢＭとの間には隙間が生じない。
【００６７】
よって、作業用開口１５からアッパーケース５の内部に挿入した締結部材が、急速充電端子２７Ｐ，２７Ｎや高電圧バッテリ端子２９Ｐ，２９Ｎ以外の場所に移動しても、作業用開口１５とバスバーモジュールＢＭとの隙間からアッパーケース５の内側に落下しにくい構成にすることができる。
【００６８】
そして、本実施形態のパワーコントロールユニット１では、高電圧バッテリポートＨＢＰに接続された高電圧バッテリの充電中に、低電圧バッテリを充電させるためにＤＣＤＣコンバータが同時に作動すると、ＤＣＤＣコンバータで発生したスイッチングノイズがメインバスバー３９Ｐ，３９Ｎに伝播する。
【００６９】
このノイズは、ＤＣＤＣコンバータが接続された分岐端子５３Ｐ，５３Ｎからメインバスバー３９Ｐ，３９Ｎの折り返し部４９Ｐ，４９Ｎに伝播する際に、磁気コアモジュール４３及び絶縁モジュール４５を設けて構成したチョークコイルＬ１及びコンデンサＣ１によるノイズフィルタＦでフィルタリングされる。
【００７０】
また、メインバスバー３９Ｐ，３９Ｎの分岐端子５５Ｐ，５５Ｎや高電圧バッテリ端子２９Ｐ，２９Ｎ、ＱＣリレー端子５１Ｐ，５１Ｎに接続されたデバイスでノイズが発生してメインバスバー３９Ｐ，３９Ｎに伝播した場合にも、そのノイズが折り返し部４９Ｐ，４９Ｎに伝播する際に、ノイズフィルタＦによってフィルタリングされる。
【００７１】
このため、ノイズの発生源のデバイスからそのデバイスが接続されたメインバスバー３９Ｐ，３９Ｎにノイズが伝播しても、そのノイズをメインバスバー３９Ｐ，３９Ｎの折り返し部４９Ｐ，４９Ｎに構成されたノイズフィルタＦによって除去し、他のデバイスに伝播するのを抑制することができる。
【００７２】
なお、本実施形態では、パワーコントロールユニット１内のバスバーを、メインバスバー３９Ｐ，３９Ｎとサブバスバー４１Ｐ，４１Ｎとに分割して構成したが、一つのバスバーによって構成してもよく、３つ以上に分割して構成してもよい。
【００７３】
そして、メインバスバー３９Ｐとサブバスバー４１Ｐや、メインバスバー３９Ｎとサブバスバー４１Ｎを、それぞれ一つのバスバーによって構成する場合は、充電端子部２７が請求項中の凹部に該当することになる。また、急速充電ポートＱＰが請求項中の外部接続用のコネクタに該当することになり、高電圧バッテリ端子２９Ｐ，２９Ｎが請求項中のコネクタの締結箇所に該当することになる。
【００７４】
また、パワーコントロールユニット１のハウジングを本実施形態のようにロアケース３とアッパーケース５とに分割して構成するか、それとも、１つのハウジングで構成するか、あるいは、３つ以上のケースに分割するかは、任意に選択することができる。そして、ハウジングを複数のケースに分割する場合、分割した各ケースにパワーコントロールユニット１のどのデバイスを収容するかも任意に選択することができる。
【産業上の利用可能性】
【００７５】
本発明は、モータを推進源に用いる車両のパワーコントロールユニットにおいて利用することができる。
【符号の説明】
【００７６】
１  パワーコントロールユニット
３  ロアケース
５  アッパーケース（バスバーモジュールの取付対象）
７  入水ポート
９  出水ポート
１１  収容部
１３  天井面
１５，１７  作業用開口
１９，２１  蓋体
２３，２５  ポート取付孔
２６  樹脂ブロック（樹脂体）
２７  充電端子部
２７Ｐ，２７Ｎ  急速充電端子
２９  バッテリ端子部（凹部）
２９Ｐ，２９Ｎ  高電圧バッテリ端子（コネクタの締結箇所）
３１，３３  ＱＣリレー端子部
３５，３７  ＱＣリレーボックス（充電用デバイス）
３９Ｐ，３９Ｎ  メインバスバー（バスバー）
４１Ｐ，４１Ｎ  サブバスバー
４３  磁気コアモジュール
４５，４７  絶縁モジュール
４９Ｐ，４９Ｎ  メインバスバー折り返し部
５１Ｐ，５１Ｎ  ＱＣリレー端子
５３Ｐ，５３Ｎ，５５Ｐ，５５Ｎ  分岐端子
５７Ｐ，５７Ｎ  ＱＣリレー端子
５９  コア部材（磁気コア）
６１  コアホルダ（磁気コアホルダ）
６３  コアピース
６５  コア収容部
６７  スリット
６９  バスバー保持部（絶縁部材）
６９Ｐ，６９Ｎ  バスバー保持溝
７１  フランジ部（取付点）
７３  係止溝
７５  絶縁板部（絶縁部材）
７７  取付脚部（取付点）
７９  ボルト
８１  取付孔
ＢＭ  バスバーモジュール
Ｃ１，Ｃ２  コンデンサ
ＣＨＧ  プラグイン用充電器（充電用デバイス）
Ｆ  ノイズフィルタ
ＨＢＰ  高電圧バッテリポート（外部接続用のコネクタ）
Ｌ１  チョークコイル（インダクタンス成分）
ＱＰ  急速充電ポート
【図１】
2020010573.tif 000003
【図２】
2020010573.tif 000004
【図３】
2020010573.tif 000005
【図４】
2020010573.tif 000006
【図５】
2020010573.tif 000007
【図６】
2020010573.tif 000008